(57)【要約】【課題】サーモツマミと握り部とを近づけ、使い勝手の良いアイロン装置を提供する。【解決手段】ヒータ（図示せず）によって加熱されるベース２の上方に配設され空間部６と握り部７を有する把手５と、前記ヒータへの通電を制御して前記ベース２の温度を調節するサーモスタット８と、前記ベース２の温度を設定するサーモツマミ９と、前記サーモツマミ９と連動し前記温度設定を微調整する温度調整部１１と、前記温度調整部１１とサーモスタット８とを連係させる作動棒１３を具備し、前記サーモツマミ９を前記握り部７の前方に配設し、前記温度調整部１１を前記サーモツマミ９より後方に配設するとともに、前記作動棒１３の上部を後方に屈曲させたもので、サーモツマミ９と握り部７との距離が近くなり、使用者がアイロン掛けを行う衣類に適した温度に調整する時に操作が容易で、使い勝手が向上するものである。【選択図】図１
2006110040.tif 000002
【特許請求の範囲】
【請求項１】
ヒータによって加熱されるベースと、前記ベースの上方に配設され空間部と握り部を有する把手と、前記ヒータへの通電を制御して前記ベースの温度を調節する温度制御手段と、前記ベースの温度を設定するサーモツマミと、前記サーモツマミと連動し前記温度設定を微調整する温度調整部と、前記温度調整部と前記温度制御手段とを連係させる作動棒を具備し、前記サーモツマミを前記握り部の前方に配設し、前記温度調整部を前記サーモツマミより後方に配設するとともに、前記作動棒の上部を後方に屈曲させたアイロン。
【請求項２】
空間部の一部を温度調整部より前方に位置させた請求項１記載のアイロン。
【発明の詳細な説明】
【技術分野】
【０００１】
本発明は、衣類等のしわ伸ばしを行うアイロンに関するものである。
【背景技術】
【０００２】
従来、この種のアイロンとして、握り部前方に設けた温度調整部で、アイロン掛けを行う衣類に適した温度に調整できるようにしたものがある（例えば、特許文献１参照）。
【０００３】
図２は、前記特許文献１に記載された従来のアイロンを示すものである。以下その構成について説明する。
【０００４】
アイロン本体１４の下方には、ヒータ１５によって加熱され、水を気化させる気化室１６を有するベース１７と、ベース１７の上方に断熱板１８を介して配置した貯水用のタンク１９と、ベース１７の上方に配設し空間部２０と握り部２１を有した把手２２と、ヒータ１５への通電を制御してベース１７を任意の温度に調節するサーモスタット２３と、サーモスタット２３によって調節されるベース１７の温度を設定し、前後に軸（図示せず）を有し握り部２１前方に設けたサーモツマミ２４と、サーモツマミ２４と連動し、サーモツマミ２４の後側の軸より後方に配設し、温度設定を微調整する温度調整部２５と、温度調整部２５とサーモスタット２３を連係させ上部が温度調整部２５の軸芯と同一である作動棒２６が設けられている。
【０００５】
以上のように構成されたアイロンについて、その動作を説明する。アイロン掛けをするときは、使用者はアイロン掛けをする衣類に合わせた温度に設定するために、アイロン本体１４に設けたサーモツマミ２４を回動させて任意の温度に調節する。
【特許文献１】特開昭６１−１６４６００号公報
【発明の開示】
【発明が解決しようとする課題】
【０００６】
しかしながら、上記従来のアイロンの構成では、アイロン掛けを行う衣類に適した温度に調節するために、サーモツマミ２４を回動させて温度設定するようにしているが、作動棒２６の上部が温度調整部２５の軸芯と同一であるため、握り部２１からサーモツマミ２４までの距離が遠くなり、サーモツマミ２４の操作性が悪くなって効率よくアイロン掛け作業を行うことができず、使い勝手が悪いという課題があった。
【０００７】
本発明は、前記従来の課題を解決するもので、サーモツマミの操作が容易で、使い勝手の良いアイロンを提供することを目的とする。
【課題を解決するための手段】
【０００８】
前記従来の課題を解決するために、本発明のアイロンは、ヒータによって加熱されるベースと、前記ベースの上方に配設され空間部と握り部を有する把手と、前記ヒータへの通電を制御して前記ベースの温度を調節する温度制御手段と、前記ベースの温度を設定するサーモツマミと、前記サーモツマミと連動し前記温度設定を微調整する温度調整部と、前記温度調整部と前記温度制御手段とを連係させる作動棒を具備し、前記サーモツマミを前記握り部の前方に配設し、前記温度調整部を前記サーモツマミより後方に配設するとともに、前記作動棒の上部を後方に屈曲させたもので、サーモツマミと握り部との距離が近くなり、使用者がアイロン掛けを行う衣類に適した温度に調整する時に操作が容易になり、使い勝手が向上するものである。
【発明の効果】
【０００９】
本発明のアイロンは、ベースの温度設定用のサーモツマミの操作が容易で、使い勝手が良いものである。
【発明を実施するための最良の形態】
【００１０】
第１の発明は、ヒータによって加熱されるベースと、前記ベースの上方に配設され空間部と握り部を有する把手と、前記ヒータへの通電を制御して前記ベースの温度を調節する温度制御手段と、前記ベースの温度を設定するサーモツマミと、前記サーモツマミと連動し前記温度設定を微調整する温度調整部と、前記温度調整部と前記温度制御手段とを連係させる作動棒を具備し、前記サーモツマミを前記握り部の前方に配設し、前記温度調整部を前記サーモツマミより後方に配設するとともに、前記作動棒の上部を後方に屈曲させたもので、サーモツマミと握り部との距離が近くなり、使用者がアイロン掛けを行う衣類に適した温度に調整する時に操作が容易になり、使い勝手が向上するものである。
【００１１】
第２の発明は、特に、第１の発明の空間部の一部を温度調整部より前方に位置させたもので、使用者のアイロンを握る位置が前方に移動するのでサーモツマミとの距離がより近くなり、使用者がアイロン掛けをする衣類に合わせた温度に設定するときに操作部を確実に操作することができ、使い勝手をさらに向上させることができる。
【００１２】
以下、本発明の実施の形態について、図面を参照しながら説明する。なお、本実施の形態によって本発明が限定されるものではない。
【００１３】
（実施の形態１）
図１は、本発明の第１の実施の形態におけるアイロンの側面図である。
【００１４】
図１において、１はアイロン本体で、ベース２はヒータ（図示せず）によって加熱され水を気化させる気化室（図示せず）を有したものであり、タンク３は貯水用にベース２の上方に断熱板４を介して配置したものであり、把手５はベース２の上方に配設し空間部６と握り部７を有している。サーモスタット８はヒータへの通電を制御してベース２の温度を調節する温度制御手段となるもので、サーモツマミ９は、前後に軸９ａ、９ｂを有し、使用者が温度設定するための操作部１０を有しサーモツマミ９によって調節されるベース２の温度を回転式で設定するためのものである。
【００１５】
温度調整部１１は、サーモツマミ９と連動し温度設定を微調整する温調ねじ１２を有し、作動棒１３は、温度調整部１１の動きをサーモスタット８に伝えるためのものであり、サーモツマミ９は、把手５の握り部７前方に配して設け、温度調整部１１はサーモツマミ９の後側の軸９ｂより後方に配して設けるとともに、図１に示すように、作動棒１３を上部で後方に屈曲させて構成している。また空間部６の前側の一部を温度調整部１１より前方に設けている。
【００１６】
以上のように構成されたアイロンについて、以下その動作、作用を説明する。
【００１７】
まず、サーモツマミ９を把手５の握り部７前方に設け、作動棒１３を上部で後方に屈曲させたので、サーモツマミ９と握り部７との距離が近くなり、使用者が温度設定するために操作部１０を操作するとき、操作性がよくなるので、アイロン本体１の使い勝手を向上させることができるものである。
【００１８】
また、空間部６の前側の一部を温度調整部１１より前方に設けたので、使用者の握り部７を握る位置が前方に移動し、サーモツマミ９との距離がさらに近くなり、使用者がアイロン掛けをする衣類に合わせた温度に設定する時に、操作部１０を確実に操作することができ、使い勝手をさらに向上させることができる。
【産業上の利用可能性】
【００１９】
以上のように、本発明にかかるアイロンは、サーモツマミの操作部の操作が容易で、使い勝手に優れているので、衣類等のしわ伸ばしを行うアイロンに限らず、各種熱器具にも広く適用できるものである。
【図面の簡単な説明】
【００２０】
【図１】本発明の実施の形態１におけるアイロンの側面図
【図２】従来のアイロンの前部断面図
【符号の説明】
【００２１】
１  アイロン本体
２  ベース
５  把手
６  空間部
７  握り部
８  サーモスタット（温度制御手段）
９  サーモツマミ
１１  温度調整部
１３  作動棒
【図１】
2006110040.tif 000003
【図２】
2006110040.tif 000004